(57)【要約】【課題】従来の操作部と接点部が分割可能なスイッチでは、操作部をパネルに取付ける手間がかかり、スイッチのパネル裏側寸法（パネルの奥行き方向への寸法）が長くなるという問題があった。また、操作部と接点部とを相互に固定するためのロック機構を有するものは、構造が複雑で部品点数が多くなるという問題があった。そこで、操作部と接点部の着脱が容易で、さらに、薄型化及び簡素化を図ることができるスイッチを提供することを目的とする。【解決手段】操作部ユニット５と接点部ユニット１２からなり、前記操作部ユニット５と前記接点部ユニット１２が着脱自在に分割構成されたスイッチにおいて、前記操作部ユニット５の側面に挿入孔１ｂを設け、該挿入孔１ｂに前記接点部ユニット１２をスライドさせながら挿入し、両ユニットを結合することでスイッチ１３を構成する。【選択図】図５
2010021088.tif 000002
【特許請求の範囲】
【請求項１】
操作部ユニットと接点部ユニットからなり、前記操作部ユニットと前記接点部ユニットが着脱自在に分割構成されたスイッチにおいて、前記操作部ユニットの側面に挿入孔を設け、該挿入孔に前記接点部ユニットをスライドさせながら挿入し、両ユニットを結合することでスイッチを構成することを特徴とするスイッチ。
【請求項２】
前記操作部ユニットに設けた鍔部と前記接点部ユニットに設けた取付バネにより、パネルを狭着することでスイッチをパネルに取付けることを特徴とする請求項１記載のスイッチ。
【請求項３】
前記取付バネは取付片の上方に突出して略半円状に形成され、スイッチ取付け時にパネルに押圧されて撓むとともに、前記取付バネの先端が前記取付片の上面に形成された凹凸部に当接することにより、パネル方向への付勢力を増加させることを特徴とする請求項２記載のスイッチ。
【請求項４】
前記接点部ユニットに脱抜方向に付勢するバネ部を形成することを特徴とする請求項１記載のスイッチ。
【発明の詳細な説明】
【技術分野】
【０００１】
本発明は、操作部と接点部が分割可能なスイッチに係り、操作部と接点部の着脱が容易で薄型のスイッチに関するものである。
【背景技術】
【０００２】
従来の操作部と接点部が分割可能なスイッチとして、操作部をパネルに固定した後に接点部を操作部に嵌め合わせて押し込むことにより、一段の動作で操作部と接点部を結合できるようにしたものがある。（下記特許文献１）
また、操作部をパネルに固定した後に接点部を操作部に結合させるスイッチにおいて、操作部と接点部の結合部分に接点部の脱落防止のためのロック機構を設けたものがある。（下記特許文献２）
【特許文献１】特開平８−１２４４５１号
【特許文献２】特開平１１−１２０８６１号
【発明の開示】
【発明が解決しようとする課題】
【０００３】
しかしながら、上記した従来のスイッチでは、操作部を取付けねじによりパネルに固定した後に接点部を操作部に結合するため、操作部をパネルに取付ける手間がかかり、さらに、スイッチのパネル裏側寸法（パネルの奥行き方向への寸法）が長くなるという問題があった。
また、操作部と接点部とを相互に固定するためのロック機構は、構造が複雑で部品点数が多くなるという問題があった。
【０００４】
そこで本発明は、上記状況に鑑みて、操作部と接点部の着脱が容易で、さらに、薄型化及び簡素化を図ることができるスイッチを提供することを目的とする。
【課題を解決するための手段】
【０００５】
本発明は、上記目的を達成するために、
〔１〕操作部ユニットと接点部ユニットからなり、前記操作部ユニットと前記接点部ユニットが着脱自在に分割構成されたスイッチにおいて、前記操作部ユニットの側面に挿入孔を設け、該挿入孔に前記接点部ユニットをスライドさせながら挿入し、両ユニットを結合することでスイッチを構成することを特徴とする。
〔２〕上記〔１〕記載のスイッチにおいて、前記操作部ユニットに設けた鍔部と前記接点部ユニットに設けた取付バネにより、パネルを狭着することでスイッチをパネルに取付けることを特徴とする。
〔３〕上記〔２〕記載のスイッチにおいて、前記取付バネは取付片の上方に突出して略半円状に形成され、スイッチ取付け時にパネルに押圧されて撓むとともに、前記取付バネの先端が前記取付片の上面に形成された凹凸部に当接することにより、パネル方向への付勢力を増加させることを特徴とする。
〔４〕上記〔１〕記載のスイッチにおいて、前記接点部ユニットに脱抜方向に付勢するバネ部を形成することを特徴とする。
【発明の効果】
【０００６】
本発明によれば、次のような効果を奏することができる。
（１）操作部ユニットと接点部ユニットからなり、操作部ユニットと接点部ユニットが着脱自在に分割構成されたスイッチにおいて、操作部ユニットの側面に挿入孔を設け、挿入孔に接点部ユニットをスライドさせながら挿入し、両ユニットを結合することでスイッチを構成するので、接点部ユニットを操作部ユニットにスライドさせながら挿入するだけで結合でき、結合部を外すだけで分離ができるため、ユニット同士の着脱が容易である。
（２）操作部ユニットと接点部ユニットからなり、操作部ユニットと接点部ユニットが着脱自在に分割構成されたスイッチにおいて、操作部ユニットの側面に挿入孔を設け、挿入孔に接点部ユニットをスライドさせながら挿入し、両ユニットを結合することでスイッチを構成するので、ユニット同士の着脱が容易であるため、メンテナンス時の作業性を向上することができる。
（３）操作部ユニットと接点部ユニットからなり、操作部ユニットと接点部ユニットが着脱自在に分割構成されたスイッチにおいて、操作部ユニットの側面に挿入孔を設け、挿入孔に接点部ユニットをスライドさせながら挿入し、両ユニットを結合することでスイッチを構成するので、操作部ユニットの側面から接点部ユニットを結合するため、スイッチのパネル裏側寸法（パネルの奥行き方向への寸法）を短くできる。
（４）操作部ユニットと接点部ユニットからなり、操作部ユニットと接点部ユニットが着脱自在に分割構成されたスイッチにおいて、操作部ユニットの側面に挿入孔を設け、挿入孔に接点部ユニットをスライドさせながら挿入し、両ユニットを結合することでスイッチを構成するので、スイッチの取付方向とユニットを着脱する着脱方向が直交し、取付け後のスイッチの脱落を防止できるため、ユニット同士を相互に固定するための複雑なロック機構が不要となり、構造が簡単で部品点数を削減できる。
（５）操作部ユニットに設けた鍔部と接点部ユニットに設けた取付バネにより、パネルを狭着することでスイッチをパネルに取付けるので、操作部をナット等でパネルに取付ける必要がなく、ワンタッチでパネルへの取付けができるため、スイッチを容易にパネルに取付けることができる。
（６）取付バネは取付片の上方に突出して略半円状に形成され、スイッチ取付け時にパネルに押圧されて撓むとともに、取付バネの先端が取付片の上面に形成された凹凸部に当接することにより、パネル方向への付勢力を増加させるので、操作部ユニットに設けた鍔部と接点部ユニットに設けた取付バネによる狭着力を増加できるため、スイッチのパネルへの取付け強度を増加させることができる。
（７）取付バネは取付片の上方に突出して略半円状に形成され、スイッチ取付け時にパネルに押圧されて撓むとともに、取付バネの先端が取付片の上面に形成された凹凸部に当接することにより、パネル方向への付勢力を増加させるので、取付バネの先端と凹凸部の当接位置が自在に変更できるため、多様なパネルの厚みに対応することができる。
（８）接点部ユニットに脱抜方向に付勢するバネ部を形成するので、スイッチをパネルから容易に取外すことできる。
【発明を実施するための最良の形態】
【０００７】
本発明は、操作部ユニットと接点部ユニットからなり、操作部ユニットと接点部ユニットが着脱自在に分割構成されたスイッチにおいて、操作部ユニットの側面に挿入孔を設け、挿入孔に接点部ユニットをスライドさせながら挿入し、両ユニットを結合することでスイッチを構成する。よって、操作部ユニットと接点部ユニットの着脱が容易でありながら、薄型化及び簡素化を図ることが可能となる。
【実施例】
【０００８】
以下、本発明の実施例について、図面を参照しながら詳細に説明する。
【０００９】
図１は本発明の第一実施例を表す操作部ユニットの分解斜視図、図２はその操作部ユニットの斜視図、図３は本発明の第一実施例を表す接点部ユニットの分解斜視図、図４はその接点部ユニットの斜視図である。
【００１０】
図１及び図２において、１はハウジング、２はハウジング１に摺動自在に内設されるプランジャ、３は照光を均一にするためのフィルタ、４はボタン、５は上記したハウジング１、プランジャ２、フィルタ３及びボタン４からなる操作部ユニットである。
【００１１】
ボタン４は圧入又は嵌合等によりプランジャ２に固定され、フィルタ３はプランジャ２とボタン４に挟まれた状態で固定される。そして、プランジャ２に垂設されたガイド片２ａに設けたガイド突起２ｂをハウジング１に形成されたガイド溝１ａに遊嵌することにより、操作部ユニット５が完成される。
【００１２】
図３及び図４において、６はケース、７はプリント基板、８はプリント基板７に実装されるコネクタ、９はプリント基板７に実装される発光素子、１０はプリント基板７に設けられた接点の開閉を行うラバーコンタクト、１１はラバーコンタクト１０をプリント基板７上に狭着して固定するための抑え板、１２は上記したケース６、プリント基板７、コネクタ８、発光素子９、ラバーコンタクト１０及び抑え板１１からなる接点部ユニットである。
【００１３】
コネクタ８と発光素子９を実装したプリント基板７に設けた嵌合孔７ａにケース６の底面に設けた嵌合突起６ａを嵌合させ、ラバーコンタクト１０をプリント基板７に設けた接点部（図示なし）上に配置する。そして、抑え板１１をラバーコンタクト１０の先端が抑え板１１に設けられた貫通孔１１ａから突出するように配設し、ケース６に設けた嵌合孔６ｂに抑え板１１に設けた嵌合爪１１ｂを嵌合することにより、接点部ユニット１２が完成される。
【００１４】
図５は本発明の第一実施例を表す操作部ユニットと接点部ユニットを結合したスイッチの斜視図、図６はそのスイッチの図であり、図６（ａ）はそのスイッチの平面図を、図６（ｂ）はそのスイッチの側面図を、図６（ｃ）はそのスイッチの底面図を示している。図７は本発明の第一実施例を表すスイッチの断面図であり、図６（ａ）におけるＡ−Ａ断面図である。
【００１５】
これらの図において、１３は操作部ユニット５と接点部ユニット１２を結合して構成されるスイッチである。接点部ユニット１２をハウジング１に設けられた挿入孔１ｂに挿入孔１ｂと対向する側面方向からスライドさせながら挿入し、ハウジング１の底面に設けた結合孔１ｃにケース６の底面に設けた結合突起６ｃを結合することにより、スイッチ１３が完成される。このとき、プランジャ２に垂設された押圧片２ｃは抑え板１１に設けられたスロープ１１ｃを摺動しながら移動してラバーコンタクト１０の先端に配備される。
【００１６】
図８は本発明の第一実施例を表すスイッチのパネル取付時の状態を示す図であり、図８（ａ）と図８（ｂ）はパネルの厚みが異なる。１４はスイッチ１３を取付けるパネルであり、スイッチ１３を取付けるための孔（図示なし）が設けてある。パネル１４に設けた取付け孔（図示なし）に操作部ユニット５をパネル１４前面から挿入し、パネル１４の裏側で操作部ユニット５の側面から接点部ユニット１２をスライドさせて結合する。そして、操作部ユニット５のハウジング１に設けられた鍔部１ａと接点部ユニット１２のケース６に設けられた取付片６ｄに形成された取付バネ６ｅでパネル１４を狭着することでスイッチ１３がパネル１４に固定される。このとき、取付バネ６ｅはパネル１４に押圧されて取付片６ｄ側に撓み、その先端が取付片６ｄに形成された凹凸部６ｆと当接することでパネル１４を狭着する方向へ付勢される。
【００１７】
以上のように構成された本発明のスイッチは、操作部ユニット５の側面から接点部ユニット１２をスライドさせて、両ユニットを結合することでスイッチ１３が構成され、操作部ユニット５に設けた鍔部１ｄと接点部ユニット１２に設けた取付バネ６ｅにより、パネル１４を狭着することでスイッチ１３を取付ける。そして、ボタン４を押圧すると連動してプランジャ２が下降し、プランジャ２に垂設された押圧片２ｃがラバーコンタクト１０の先端を押圧することで接点が導通してスイッチがＯＮとなり、その操作に応じて発光素子が照光して、抑え板１１に設けた照光窓１１ｄを通してボタン４を照光させる。また、ボタン４から手を離すと接点が開放されてスイッチはＯＦＦとなり、ケース６の底面に設けた結合突起６ｃを押圧することにより、スイッチ１３をパネル１４から取外すことができる。
【００１８】
このように、本実施例に示すスイッチは、操作部ユニット５に接点部ユニット１２をスライドさせながら挿入し、両ユニットを結合することでスイッチ１３を構成し、操作部ユニット５の鍔部１ｄと接点部ユニット１２の取付バネ６ｅでパネル１４に狭着するので、ユニット同士の着脱が容易であるが、スイッチ１３の取付方向とユニット同士の着脱方向が直交するためパネルからの脱落を防止できるという特徴を有している。また、取付バネ６ｅの先端が凹凸部と当接してパネル方向への付勢力を増加させるため、スイッチ１３の取付け強度を増加させ、かつ、多様なパネル厚に対応できるという特徴を有している。
【００１９】
さらに、ユニット同士の着脱が容易であるので、メンテナンス時の作業性を向上することができるという特徴を有している。
【００２０】
さらに、操作部ユニット５の側面から接点部ユニット１２をスライドさせて、両ユニットを結合するので、パネル裏側寸法を短くでき、ユニット同士を結合するための複雑なロック機構が不要であるため構造が簡素化できるという特徴を有している。
【００２１】
本実施例では、操作部の形状は角型等でもよく、スイッチ機構はラバーコンタクト以外で構成してもよく、操作機構は自動復帰としているがロック式としてもよい。また、外部との接続をコネクタとしているが、タブ端子等としてもよく、配置位置はスイッチ底面等にしてもよい。さらに、取付バネを操作部ユニットのハウジングに設けてもよく、スイッチの操作形態はトグルスイッチやロッカスイッチ等でもよく、種々の方法が考えられる。
【００２２】
図９は本発明の第ニ実施例を表すスイッチの接点部ユニットの図であり、図９（ａ）は平面図を、図９（ｂ）はＢ−Ｂ断面図を、図９（ｃ）は操作部ユニットと結合した時の要部断面図を示している。接点部ユニット１２０のハウジング６０に設けられた取付片６０ｄの操作部ユニット５０と当接する部分に、バネ部６０ｇを設ける。これにより、接点部ユニット１２０は操作部ユニット５０から脱抜する方向に付勢され、ユニット同士の分離が容易になる。
【００２３】
なお、本発明は上記の実施例に限定されるものではなく、本発明の趣旨に基づき種々の変形が可能であり、これらを本発明の範囲から排除するものではない。
【産業上の利用可能性】
【００２４】
本発明のスイッチは、操作部と接点部が分割可能なであり、操作部と接点部の着脱が容易で薄型なスイッチとして利用可能である。
【図面の簡単な説明】
【００２５】
【図１】本発明の第一実施例を表すスイッチの操作部ユニットの分解斜視図である。
【図２】本発明の第一実施例を表すスイッチの操作部ユニットの斜視図である。
【図３】本発明の第一実施例を表すスイッチの接点部ユニットの分解斜視図である。
【図４】本発明の第二実施例を表すスイッチの接点部ユニットの斜視図である。
【図５】本発明の第一実施例を表すスイッチの斜視図である。
【図６】本発明の第一実施例を表すスイッチの図である。
【図７】本発明の第一実施例を表すスイッチの断面図である。
【図８】本発明の第二実施例を表すスイッチのパネル取付時の状態を示す図である。
【図９】本発明の第ニ実施例を表すスイッチの図である。
【符号の説明】
【００２６】
１            ハウジング
１ａ          ガイド溝
１ｂ          挿入孔
１ｃ          結合孔
１ｄ          鍔部
２            プランジャ
２ａ          ガイド片
２ｂ          ガイド突起
２ｃ          押圧片
３            フィルタ
４            ボタン
５，５０      操作部ユニット
６，６０      ケース
６ａ          嵌合突起
６ｂ，７ａ    嵌合孔
６ｃ          結合突起
６ｄ，６０ｄ  取付片
６ｅ          取付バネ
６ｆ          凹凸部
６０ｇ        バネ部
７            プリント基板
８            コネクタ
９            発光素子
１０          ラバーコンタクト
１１          抑え板
１１ａ        貫通孔
１１ｂ        嵌合爪
１１ｃ        スロープ
１１ｄ        照光窓
１２          接点部ユニット
１３，１３０  スイッチ
１４          パネル
【図１】
2010021088.tif 000003
【図２】
2010021088.tif 000004
【図３】
2010021088.tif 000005
【図４】
2010021088.tif 000006
【図５】
2010021088.tif 000007
【図６】
2010021088.tif 000008
【図７】
2010021088.tif 000009
【図８】
2010021088.tif 000010
【図９】
2010021088.tif 000011